(57)【要約】      （修正有）【課題】観察倍率が大きく、大きなファインダー像の観察ができ、しかもアイレリーフを十分に長く確保することができ、かつ収差を適切に改善した低コストで高性能なファインダー光学系及びそれを用いた撮像装置を提供する。【解決手段】ファインダー光学系において、物体面から観察側へ順に正立像形成部材５、負の屈折力の第１レンズ６ａ、光軸方向に移動させることで視度調節を行う正の屈折力の第２レンズ６ｂ、正の屈折力を有する第３レンズ６ｃ、負の屈折力を有する第４レンズ６ｄで構成され、第２レンズの物体側と観察側の面の曲率半径を各々、Ｒ２ｏ、Ｒ２ｅ、第３レンズの物体側と観察側の面の曲率半径を各々Ｒ３ｏ、Ｒ３ｅとするとき、-2.0<(G3Ro+G3Re)/(G3Ro-G3Re)<-1.4・・・（１）、0<(G2Ro+G2Re)/(G2Ro-G2Re)<0.4・・・（２）なる条件式を満足する。【選択図】図１
2016191765.tif 000002
【特許請求の範囲】
【請求項１】
撮影レンズにより形成された被写体像を接眼レンズを介して観察するファインダー光学系において、
該接眼レンズは物体面から観察側へ順に正立像形成部材、
負の屈折力の第１レンズ、 
光軸方向に移動させることで視度調節を行う正の屈折力の第２レンズ、
正の屈折力を有する第３レンズ、
負の屈折力を有する第４レンズで構成され、
該第２レンズの物体側と観察側の面の曲率半径を各々、Ｒ２ｏ、Ｒ２ｅ、該第３レンズの物体側と観察側の面の曲率半径を各々Ｒ３ｏ、Ｒ３ｅとするとき、
-2.0 < (G3Ro+G3Re)/(G3Ro-G3Re) < -1.4・・・（１） 
0< (G2Ro+G2Re)/(G2Ro-G2Re) < 0.4 ・・・（２） 
なる条件式を満足することを特徴とするファインダー光学系。
【請求項２】
前記第３レンズの焦点距離をf3とし、前記接眼レンズの-1ディオプターの時の全系の焦点距離をfとするとき、
0.5 < f3/f < 0.8 ・・・（３） 
なる条件式を満足することを特徴とする請求項１に記載のファインダー光学系。
【発明の詳細な説明】
【技術分野】
【０００１】
本発明は、ファインダー光学系に関し、特に一眼レフカメラ等に好適なファインダー光学系に関する。
【背景技術】
【０００２】
従来、一眼レフカメラでは撮影レンズによって、焦点板上に形成した被写体像(ファインダー像)をファインダー光学系を介して観察している。
【０００３】
このファインダー光学系は、焦点板上に形成された被写体像をペンタプリズムやペンタダハミラー等の像反転手段を介して正立像とした後、接眼レンズによって拡大して観察するように構成されている。
【０００４】
このようなファインダー光学系に用いられる接眼レンズには、高い観察倍率を有すること、十分な長さのアイレリーフがあること、そして高い光学性能を有すること等が求められている。尚、ここでアイレリーフとは接眼レンズの射出面から観察者の瞳孔(アイポイント)までの距離である。
【０００５】
一般にこのようなファインダー光学系において、観察倍率は撮影レンズと接眼レンズの焦点距離の比で求められる。このため観察倍率を大きくする為には、接眼レンズの焦点距離を短くすることが必要となる。
【０００６】
一眼レフカメラのファインダー光学系においては、一般に視度を−１ディオプトリー付近に設定することが必要となる。このため、物体像が形成される焦点板から接眼レンズまでの距離（接眼レンズの主点位置までの光路長）によって接眼レンズの焦点距離は実質的に決定される。
【０００７】
特許文献１では高倍率化のために光路長を短くする手段として ペンタダハプリズムを用いた４枚で構成された接眼レンズが開示されている。また、特許文献２では良好な性能を得るために、物体側から観察側へ順に負、正、正、負レンズの４枚のレンズで構成されたペンタダハミラーを用いた接眼レンズが開示されている。
【先行技術文献】
【特許文献】
【０００８】
【特許文献１】特開2003−215471号公報
【特許文献２】特開2008−241795号公報
【発明の概要】
【発明が解決しようとする課題】
【０００９】
ファインダー光学系は、公知にあるように像反転手段にペンタダハプリズムを使うことで高倍率化が可能である。しかしながら、ペンタダハプリズムは高価であり、またガラス材料であるために重いという問題がある。
【００１０】
安価で軽量なファインダー光学系を構成する手段として、中空のペンタダハミラーは大変有効である。しかしながら、ペンタダハミラーを用いた場合には、ペンタダハプリズムを用いた場合に比べて、反射光路長がｎ倍（ペンタダハプリズムの材料の屈折率をｎとした時）になり、接眼レンズの焦点距離が長くなる為、ファインダー倍率が低下する傾向となる。
【００１１】
又、接眼レンズの焦点距離を短くして接眼レンズを焦点板に近づけようとすると、ファインダー光学系の観察部（アイポイント）がカメラの後面より物体側に移動してしまい、実質的にアイレリーフが短くなってくる。この結果、ファインダー像の観察がしづらくなる。尚、ファインダー光学系の観察倍率を高くし、かつアイレリーフを長くし、ファインダー像を拡大して、良好に観察することができるようにしたファインダー光学系は、ペンタダハプリズムを用いたファインダー光学系にも同様に要望されている。
【００１２】
そこで、本発明の目的は、高い光学性能を保ちつつ観察倍率が大きく、大きなファインダー像の観察ができ、しかもアイレリーフを十分に長く確保することのできるファインダー光学系及びそれを用いた撮像装置を提供することにある。
【課題を解決するための手段】
【００１３】
上記の目的を達成するために、本発明は、
撮影レンズにより形成された被写体像を接眼レンズを介して観察するファインダー光学系において、
該接眼レンズは物体面から観察側へ順に正立像形成部材、
負の屈折力の第１レンズ、
光軸方向に移動させることで視度調節を行う正の屈折力の第２レンズ、
正の屈折力を有する第３レンズ、
負の屈折力を有する第４レンズで構成され、
該第２レンズの物体側と観察側の面の曲率半径を各々、Ｒ２ｏ、Ｒ２ｅ、該第３レンズの物体側と観察側の面の曲率半径を各々Ｒ３ｏ、Ｒ３ｅとするとき、
-2.0 < (G3Ro+G3Re)/(G3Ro-G3Re) < -1.4・・・（１） 
0< (G2Ro+G2Re)/(G2Ro-G2Re) < 0.4 ・・・（２） 
なる条件式を満足することを特徴とする。
【発明の効果】
【００１４】
本発明によれば、高い光学性能を保ちつつ観察倍率が大きく、大きなファインダー像の観察ができ、しかもアイレリーフを十分に長く保つことのできるファインダー光学系を提供することが出来る。
【図面の簡単な説明】
【００１５】
【図１】本発明のファインダー光学系を一眼レフカメラに適用した時の要部断面図
【図２】本発明の数値実施例１の光学要素の光路を展開した断面図
【図３】本発明の数値実施例１の収差図
【図４】本発明の数値実施例２の光学要素の光路を展開した断面図
【図５】本発明の数値実施例２の収差図
【図６】本発明の数値実施例３の光学要素の光路を展開した断面図
【図７】本発明の数値実施例３の収差図
【図８】本発明の数値実施例４の光学要素の光路を展開した断面図
【図９】本発明の数値実施例４の収差図
【図１０】本発明の数値実施例５の光学要素の光路を展開した断面図
【図１１】本発明の数値実施例５の収差図
【図１２】本発明の数値実施例６の光学要素の光路を展開した断面図
【図１３】本発明の数値実施例６の収差図
【図１４】本発明の数値実施例７の光学要素の光路を展開した断面図
【図１５】本発明の数値実施例７の収差図
【発明を実施するための形態】
【００１６】
以下に、本発明の好ましい実施の形態を、添付の図面に基づいて詳細に説明する。図１は、本発明の実施形態にかかわるファインダー光学系を一眼レフカメラに適用したときの要部断面図である。
【００１７】
図２、図３は本発明の数値実施例１を光学要素の光路を展開したときの断面図と収差図である。断面図と収差図はファインダー視度が−１ディオプトリー（標準視度）のときを示している。収差図において、球面収差はアイポイント位置での瞳径φ１２ｍｍでの収差図を表している。非点収差、歪曲収差、色収差は焦点板上での最大像高を１２．４ｍｍとしている。色収差はf線（波長４８６．１３ｎｍ）での色収差を表している。
【００１８】
図１において、１は撮影レンズ、２はクイックリターンミラー、３は焦点板、４は焦点板のマット面であり撮影レンズ１による物体像が形成されている、５は正立像形成部材としてのペンタダハミラーであり、焦点板３のマット面４の物体像を正立像としている。６は接眼レンズである。７はアイポイントの位置を表している。
【００１９】
本実施形態におけるファインダー光学系は撮影レンズ１による被写体像をクイックリターンミラー２で反射させて焦点板３のマット面４上に形成している。そして焦点板３のマット面４上に形成したファインダー像をペンタダハミラー５で正立像として接眼レンズ６を介してアイポイント７より観察している。
【００２０】
本発明に係る接眼レンズ６は負の屈折力の第１レンズ６ａ、正の屈折力の第２レンズ６ｂ、正の屈折力の第３レンズ６ｃ、負の屈折力の第４レンズ６ｄからなっていることを基本構成としている。そして前記正の屈折力の第２レンズ６ｂを接眼レンズの光軸に沿って移動することで視度調節を行っている。
【００２１】
さらに、請求項１の第１の発明では、上記基本構成の接眼レンズは前述の条件式（１）から（２）を満足するようにしている。
【００２２】
本発明の接眼レンズの構成としては、物体側から順に負、正、正、負の構成としている。該構成において高い観察倍率を得ようとした場合、第３の正レンズ６ｃの物体側の凸面の屈折力を強くする必要がある一方で、アイポイントを確保するためには第３の正レンズ６ｃの観察側の面の屈折力を弱くする必要がある。したがって、アイポイントを確保し高倍率化を行うためには、第３の正レンズの形状を適切に設定することが必要である。
【００２３】
条件式（１）は高い観察倍率を実現しながら、十分なアイポイントを確保するための条件式である。条件式の下限を超えると第３の正レンズ６ｃの物体側の凸面の屈折力が弱くなってしまい、高い倍率を確保することができなくなる。一方、上限を超えると第３の正レンズ６ｃの観察側の凹面の屈折力が弱くなりすぎてしまい、十分なアイポイントを確保することが困難になる。
【００２４】
また、高倍率化および十分なアイポイントを確保するために第３の正レンズ６ｃの形状が上記のようになると、非点収差とコマ収差が低下し良好な像を得ることができなくなる。この低下した非点収差とコマ収差を第２の正レンズ６ｂの形状を最適化することで良好に補正することができる。
【００２５】
条件式（２）は高い観察倍率を実現しながら、良好な観察像を得るための条件式である。条件式（２）の下限を超えると、第２レンズ６ｂの物体側の面屈折力が観察側の面の屈折力よりも強くなってしまい、高倍率化によって低下した非点収差、コマ収差を良好に補正できなくなる。一方、条件式（２）の上限を超えると第２の正レンズ６ｂの主点が後ろにいってしまうことによってファインダー系の高倍率化が難しくなってくる。
【００２６】
条件式（３）は高い観察倍率を得て、かつ十分なアイポイントを得るための第３の正レンズ６ｃの焦点距離の条件式である。
【００２７】
条件式（３）の上限を超えると第３の正レンズ６ｃのパワーが弱くなりすぎるために高い倍率を得ることができなくなる。一方、条件式の下限を超えると第３の正のパワー６ｃが強くなりすぎるために、十分なアイポイントを得ることができない。
【００２８】
以下に、本発明の実施形態を添付の図面に基づいて詳細に説明する。数値実施例においてはrｉ焦点板側より順に第ｉ番目のレンズ面の曲率半径、ｄｉは焦点板側よりｉ番目のレンズ厚および空気間隔、Ｎｉとｖｉは各々焦点板側より順に第ｉ番目のレンズの屈折率とアッべ数である。
【００２９】
なお、各数値実施例において*印は非球面を表しており、非球面形状は光軸方向にＸ軸、光軸と垂直方向にＹ軸、光の進行方向を正とし近軸曲率半径をＲ，円錐係数をＫ，４次の非球面係数をＢ，６次の非球面係数をＣ，８次の非球面係数をＤ，１０次の非球面係数をＥとしたとき、
【００３０】
【数１】
2016191765.tif 000003
【００３１】
によって定義されるものである。また「e-0X」の表示は「10-X」を意味している。
【００３２】
また、各数値実施例のファインダー光学系を実現した際の接眼レンズの焦点距離とアイポイントの概略図の計算結果を示す。また、前述の条件式と数値実施例における諸数値との関係を表１に示す。
【実施例１】
【００３３】
以下、図２を参照して、本発明の第1の実施例による、ファインダー光学系について説明する。ファインダー光学系はペンタダハミラー側から観察側へ順に負の屈折力のレンズ６ａ,正の屈折力のレンズ６ｂ,正の屈折力のレンズ６ｃ,負の屈折力のレンズ６ｄで構成されている。図３は第１実施例の収差図を示している。
【００３４】
単位 mm 
面データ
面番号       r        d      nd         vd 
1          ∞      69.50                             
2          ∞       0.56                             
3       -500.094    1.70   1.58306    30.2           
4*        41.842  (可変)                             
5*        46.862    4.00   1.53110    56.0           
6        -28.798  (可変)                             
7*        13.851    4.06   1.53110    56.0           
8         69.547    4.33                             
9        -70.740    1.70   1.49171    57.4           
10*        11.581   19.7                             
11  (アイポイント) 
非球面データ
第4面
K = 0.00000e+000  B=-9.48261e-006  C= 6.45927e-008  D=-1.02255e-009  E= 4.59630e-012  
第5面
K = 0.00000e+000  B=-1.04852e-005  C=-7.91066e-009  D=-6.79240e-010  E= 3.90389e-012  
第7面
K = 0.00000e+000  B-6.16965e-006  C= 3.78378e-008  D= 4.63241e-010  E=-5.09182e-014  
第10面
K = 0.00000e+000  B=-1.52999e-005  C= 8.28369e-008  D= 3.84458e-009  E= 5.80630e-012  
各種データ
視度          -1         -3       +1
焦点距離      56.06    57.26    55.00  
アイポイント   19.7     19.7     19.7  
d 4            2.78     2.00     3.50  
d 6            1.22     2.00     0.50  
【実施例２】
【００３５】
以下、図４を参照して、本発明の第２の実施例による、ファインダー光学系について説明する。ファインダー光学系はペンタダハミラー側から観察側へ順に負の屈折力のレンズ５a,正の屈折力のレンズ６ｂ,正の屈折力のレンズ６ｃ,負の屈折力のレンズ６ｄで構成されている。図５は第２実施例の収差図を示している。
【００３６】
単位 mm 
面データ
面番号       r        d      nd         vd 
1          ∞      69.50                             
2          ∞       0.56                             
3       -500.133    1.70   1.58306    30.2           
4*        41.625  (可変)                             
5*        42.290    4.00   1.53110    56.0           
6        -28.259  (可変)                             
7*        13.617    5.38   1.53110    56.0           
8         48.196    3.23                             
9        -71.969    1.70   1.49171    57.4           
10*        11.660    19.7                             
11  (アイポイント) 
非球面データ
第4面
K = 0.00000e+000  B=-1.02772e-005  C= 8.99908e-008  D=-1.34159e-009  E= 5.61220e-012  
第5面
K = 0.00000e+000  B=-1.26299e-005  C= 2.56069e-008  D=-1.12172e-009  E= 5.32626e-012  
第7面
K = 0.00000e+000  B=-3.42313e-006  C= 2.84667e-008  D= 7.61404e-010  E= 2.48564e-012  
第10面
K = 0.00000e+000  B=-3.53726e-006  C=-9.40540e-008  D= 1.19334e-008  E=-3.89134e-011  
各種データ
視度          -1         -3       +1
焦点距離      56.48    58.71    54.39  
全長         110.25   110.25   110.25  
アイポイント   19.7     19.7     19.7  
d 4            1.98     0.51     3.50  
d 6            2.50     3.97     0.98    
【実施例３】
【００３７】
以下、図６を参照して、本発明の第３の実施例による、ファインダー光学系について説明する。ファインダー光学系はペンタダハミラー側から観察側へ順に負の屈折力のレンズ６ａ,正の屈折力のレンズ６ｂ,正の屈折力のレンズ６ｃ,負の屈折力のレンズ６ｄで構成されている。図７は第３実施例の収差図を示している。
【００３８】
単位 mm 
面データ
面番号       r        d      nd         vd 
1          ∞      69.50                             
2          ∞       0.56                             
3       -500.071    1.70   1.58306    30.2           
4*        40.785  (可変)                             
5*        49.483    4.00   1.53110    56.0           
6        -26.798  (可変)                             
7*        13.819    4.10   1.53110    56.0           
8         63.011    4.29                             
9        -72.547    1.70   1.49171    57.4           
10*        11.533   19.7                             
11  (アイポイント) 
非球面データ
第4面
K = 0.00000e+000  B=-1.31640e-005  C= 1.21443e-007  D=-1.46730e-009  E= 5.65476e-012  
第5面
K = 0.00000e+000  B=-2.46930e-005  C= 1.53848e-007  D=-1.74744e-009  E= 6.41091e-012  
第7面
K = 0.00000e+000  B= 4.58832e-006  C=-3.07336e-008  D= 5.31122e-010  E= 3.32668e-012  
第10面
K = 0.00000e+000  B=-1.21095e-005  C=-4.73145e-008  D= 3.52545e-009  E= 4.82057e-011  
各種データ
視度          -1         -3       +1
焦点距離      57.26    59.78    54.96  
アイポイント   19.7     19.7     19.7  
d 4            1.99     0.50     3.50  
d 6            2.01     3.50     0.50  
【実施例４】
【００３９】
以下、図８を参照して、本発明の第４の実施例による、ファインダー光学系について説明する。ファインダー光学系はペンタダハミラー側から観察側へ順に負の屈折力のレンズ６ａ,正の屈折力のレンズ６ｂ,正の屈折力のレンズ６ｃ,負の屈折力のレンズ６ｄで構成されている。図９は第４実施例の収差図を示している。
【００４０】
単位 mm 
面データ
面番号       r        d      nd         vd 
1          ∞      69.50                             
2          ∞       0.56                             
3       -500.152    1.70   1.58306    30.2           
4*        47.822  (可変)                             
5*        36.213    4.00   1.53110    56.0           
6        -32.259  (可変)                             
7*        14.650    5.70   1.53110    56.0           
8         48.196    3.13                             
9        -60.244    1.70   1.49171    57.4           
10*        12.803    19.7                             
11  (アイポイント) 
非球面データ
第4面
K = 0.00000e+000  B=-5.22452e-006  C= 9.31468e-009  D=-4.98602e-010  E= 2.83529e-012  
第5面
K = 0.00000e+000  B=-8.24468e-006  C=-6.39411e-008  D=-1.74524e-010  E= 2.30790e-012  
第7面
K = 0.00000e+000  B= 1.03002e-006  C= 8.19831e-008  D= 6.04537e-010  E= 1.46298e-012  
第10面
K = 0.00000e+000  B= 1.47870e-005  C= 6.32300e-008  D= 8.61367e-009  E=-4.50382e-011  
各種データ
視度          -1         -3       +1
焦点距離      56.48    58.23    54.84  
アイポイント   19.7     19.7     19.7  
d 4            2.20     0.50     3.95  
d 6            2.25     3.95     0.50  
【実施例５】
【００４１】
以下、図１０を参照して、本発明の第５の実施例による、ファインダー光学系について説明する。ファインダー光学系はペンタダハミラー側から観察側へ順に負の屈折力のレンズ６ａ,正の屈折力のレンズ６ｂ,正の屈折力のレンズ６ｃ,負の屈折力のレンズ６ｄで構成されている。図１１は第５実施例の収差図を示している。
【００４２】
単位 mm 
面データ
面番号       r        d      nd         vd 
1          ∞      69.50                             
2          ∞       0.56                             
3       -500.054    1.70   1.58306    30.2           
4*        42.037  (可変)                             
5*        51.731    4.00   1.53110    56.0           
6        -26.259  (可変)                             
7*        13.802    5.70   1.53110    56.0           
8         48.196    2.92                             
9        -79.744    2.50   1.49171    57.4           
10*        11.809    19.7                             
11  (アイポイント) 
非球面データ
第4面
K = 0.00000e+000  B=-1.23289e-005  C= 1.13163e-007  D=-1.40484e-009  E= 5.45736e-012  
第5面
K = 0.00000e+000  B=-2.18564e-005  C= 1.23531e-007  D=-1.60310e-009  E= 6.16752e-012  
第7面
K = 0.00000e+000  B= 3.46473e-006  C=-1.80464e-008  D= 6.19877e-010  E= 3.29371e-012  
第10面
K = 0.00000e+000  B=-3.55604e-006  C=-7.38332e-008  D= 7.55713e-009  E= 1.94709e-011  
各種データ
視度          -1         -3       +1
焦点距離      56.48    58.77    54.34  
アイポイント   19.7     19.7     19.7  
d 4            1.98     0.50     3.50  
d 6            2.02     3.50     0.50  
【実施例６】
【００４３】
以下、図１２を参照して、本発明の第６の実施例による、ファインダー光学系について説明する。ファインダー光学系はペンタダハミラー側から観察側へ順に負の屈折力のレンズ６ａ,正の屈折力のレンズ６ｂ,正の屈折力のレンズ６ｃ,負の屈折力のレンズ６ｄで構成されている。図１３は第６実施例の収差図を示している。
【００４４】
単位 mm 
面データ
面番号       r        d      nd         vd 
1          ∞      69.50                             
2          ∞       0.56                             
3       -500.100    1.70   1.63200    23.0           
4*        44.797  (可変)                             
5*        45.564    4.00   1.53110    56.0           
6        -28.741  (可変)                             
7*        13.901    4.05   1.53110    56.0           
8         69.776    4.34                             
9        -69.853    1.70   1.49171    57.4           
10*        11.620    19.7                             
11  (アイポイント) 
非球面データ
第4面
K = 0.00000e+000  B=-7.84268e-006  C= 4.59347e-008  D=-8.24269e-010  E= 3.86250e-012  
第5面
K = 0.00000e+000  B=-9.53856e-006  C=-3.16752e-008  D=-4.90767e-010  E= 3.34574e-012  
第7面
K = 0.00000e+000  B=-6.68459e-006  C= 5.08665e-008  D= 4.15524e-010  E= 7.19786e-014  
第10面
K = 0.00000e+000  B=-1.47154e-005  C= 1.04121e-007  D= 3.88156e-009  E= 1.84385e-012  
各種データ
視度          -1         -3       +1
焦点距離      57.26    59.79    54.93  
アイポイント   19.7     19.7     19.7  
d 4            1.99     0.52     3.50  
d 6            2.01     3.49     0.50  
d10           19.70    19.70    19.70  
d11            0.00     0.00     0.00  
【実施例７】
【００４５】
以下、図１４を参照して、本発明の第７の実施例による、ファインダー光学系について説明する。ファインダー光学系はペンタダハミラー側から観察側へ順に負の屈折力のレンズ６ａ,正の屈折力のレンズ６ｃ,正の屈折力のレンズ６ｃ,負の屈折力のレンズ６ｄで構成されている。図１５は第７実施例の収差図を示している。
【００４６】
単位 mm 
面データ
面番号       r        d      nd         vd 
1          ∞      69.50                             
2          ∞       0.56                             
3       -500.073    1.70   1.63200    23.0           
4*        45.880  (可変)                             
5*        38.232    4.00   1.53110    56.0           
6        -29.762  (可変)                             
7*        14.575    5.70   1.53110    56.0           
8         48.196    3.45                             
9        -65.420    1.70   1.49171    57.4           
10*        12.833    19.7                           
11  (アイポイント) 
非球面データ
第4面
K = 0.00000e+000  B=-8.00107e-006  C= 4.82230e-008  D=-7.85263e-010  E= 3.46734e-012  
第5面
K = 0.00000e+000  B=-1.46476e-005  C= 4.84931e-009  D=-6.61989e-010  E= 3.48416e-012  
第7面
K = 0.00000e+000  B= 2.27699e-006  C= 5.45482e-008  D= 5.21160e-010  E= 2.15536e-012  
第10面
K = 0.00000e+000  B= 1.11943e-005  C= 9.11812e-008  D= 6.52372e-009  E=-1.03118e-011  
各種データ
視度          -1         -3       +1
焦点距離      56.48    58.64    54.50  
アイポイント   19.7     19.7     19.7  
d 4            1.99     0.50     3.50  
d 6            2.01     3.50     0.50  
【００４７】
【表１】
2016191765.tif 000004
【００４８】
以上、本発明の好ましい実施形態について説明したが、本発明はこれらの実施形態に限定されず、その要旨の範囲内で種々の変形及び変更が可能である。
【符号の説明】
【００４９】
１  撮影レンズ、２  クイックリターンミラー、３  焦点板、
４  ピント板（マット面）、５  ペンタダハミラー、６  接眼レンズ、７  アイポイント
【図１】
2016191765.tif 000005
【図２】
2016191765.tif 000006
【図３】
2016191765.tif 000007
【図４】
2016191765.tif 000008
【図５】
2016191765.tif 000009
【図６】
2016191765.tif 000010
【図７】
2016191765.tif 000011
【図８】
2016191765.tif 000012
【図９】
2016191765.tif 000013
【図１０】
2016191765.tif 000014
【図１１】
2016191765.tif 000015
【図１２】
2016191765.tif 000016
【図１３】
2016191765.tif 000017
【図１４】
2016191765.tif 000018
【図１５】
2016191765.tif 000019